(57)【要約】【課題】無線通信装置を介して行われる無線通信が不可能となる前に、無線通信状況が劣化していることを把握できる遠隔監視システムの提供。【解決手段】本発明に係る遠隔監視システムは、監視設備１ａ，１ｂを監視する遠隔監視装置２ａ，２ｂと、これらの遠隔監視装置２ａ，２ｂと無線通信装置３ａ，３ｂを含む無線通信回線を介して遠隔的に接続され、遠隔監視装置２ａ，２ｂで監視された監視設備１ａ，１ｂに関するデータを受信するデータ受信装置７を有する監視センタ６とを備え、遠隔監視装置２ａ，２ｂは、無線通信装置３ａ，３ｂを介して行われる無線通信状況の劣化判定に用いられる通信情報を読み出し、読み出した通信情報の機能が初期に比べて低下しているかどうか判定し、低下していると判定したときに該当する通信情報を無線異常データとして記憶する処理を行う通信情報判定手段１２ａ，１２ｂを有している。【選択図】図１
2014216916.tif 000002
【特許請求の範囲】
【請求項１】
建物に設置された監視設備を監視する遠隔監視装置と、この遠隔監視装置と無線通信装置を含む無線通信回線を介して遠隔的に接続され、前記遠隔監視装置で監視された前記監視設備に関するデータを受信するデータ受信装置を有する監視センタとを備えた遠隔監視システムにおいて、
前記遠隔監視装置は、
前記無線通信装置を介して行われる無線通信状況の劣化判定に用いられる通信情報を読み出し、読み出した前記通信情報の機能が初期に比べて低下しているかどうか判定し、低下していると判定したときに前記通信情報を無線異常データとして記憶する処理を行う通信情報判定手段を有することを特徴とする遠隔監視システム。
【請求項２】
請求項１に記載の遠隔監視システムにおいて、
前記監視センタは、
一定周期ごとに前記遠隔監視装置の前記通信情報判定手段に記憶された前記無線異常データを収集するデータ収集装置と、このデータ収集装置で収集された前記無線異常データを記憶する無線異常データデータベースと、この無線異常データデータベースに記憶された前記無線異常データに基づいて、無線通信状況の劣化を生じている現場を判定する異常現場判定装置とを有することを特徴とする遠隔監視システム。
【請求項３】
請求項１または２に記載の遠隔監視システムにおいて、
前記無線通信状況の劣化判定に用いられる通信情報は、前記無線通信装置の基地局ＩＤ、通信可能な基地局数、電界強度、エラーレート情報のうちの少なくとも１つから成ることを特徴とする遠隔監視システム。
【請求項４】
請求項１〜３のいずれか１項に記載の遠隔監視システムにおいて、
前記通信情報判定手段は、前記通信情報が所定の基準よりも低下しているかどうかを判定するものから成り、所定の基準よりも低下していると判定したときに、該当する通信情報を無線異常データとして記憶する処理を行うことを特徴とする遠隔監視システム。
【発明の詳細な説明】
【技術分野】
【０００１】
本発明は、建物に設置された監視設備を監視する遠隔監視装置と、この遠隔監視装置とＰＨＳ等の無線通信装置を含む無線通信回線を介して接続される監視センタとを備えた遠隔監視システムに関する。
【背景技術】
【０００２】
建物に設置された監視設備を監視する遠隔監視装置と、この遠隔監視装置とＰＨＳ等の無線通信装置経由で接続された監視センタとを備えた遠隔監視システムにおいては、無線通信装置の設置時に、安定した通信状態を確保するために、無線通信装置と基地局との通信状態を確認して無線通信装置の設置可否を判定する必要があるが、特許文献１に、無線通信装置としてＰＨＳを用いる場合に、ＰＨＳに電界強度、フレームエラーの計測機能を搭載して、該当するＰＨＳの設置可否を判定する方法が開示されている。
【０００３】
なお、無線通信装置の設置後に、周辺の無線通信装置の基地局の減少や、無線通信を遮る高階床の建物の施工などにより、電波状況の悪化が発生すると、通信が正常に行われなくなる虞があるが、特許文献２に、無線通信装置による通信が正常に行われなくなったときに、有線回線に切り替える方法が開示されている。
【先行技術文献】
【特許文献】
【０００４】
【特許文献１】特開２００３−２７４０３６号公報
【特許文献２】特開２００５−２４４５９６号公報
【発明の概要】
【発明が解決しようとする課題】
【０００５】
前述した特許文献２に開示された従来技術によれば、無線通信状況の劣化を考慮して、別途監視センタまで通信することを可能とする有線回線を備えることが必要になる。すなわち、別途有線回線を敷設することによりコストが増加する問題がある。また、初期投資を抑えるために、無線通信の異常が発生した後に有線回線を敷設して切り替える方法も考えられるが、このような場合に、無線通信の異常発生から、有線回線への切り替えが完了するまでの期間は、監視設備に対する監視を行うことができなくなってしまう。
【０００６】
本発明は、前述した従来技術における実情からなされたもので、その目的は、無線通信装置を介して行われる無線通信が不可能となる前に、無線通信状況が劣化していることを把握できる遠隔監視システムを提供することにある。
【課題を解決するための手段】
【０００７】
前記目的を達成するために、本発明に係る遠隔監視システムは、建物に設置された監視設備を監視する遠隔監視装置と、この遠隔監視装置と無線通信装置を含む無線通信回線を介して遠隔的に接続され、前記遠隔監視装置で監視された前記監視設備に関するデータを受信するデータ受信装置を有する監視センタとを備えた遠隔監視システムにおいて、前記遠隔監視装置は、前記無線通信装置を介して行われる無線通信状況の劣化判定に用いられる通信情報を読み出し、読み出した前記通信情報の機能が初期に比べて低下しているかどうか判定し、低下していると判定したときに前記通信情報を無線異常データとして記憶する処理を行う通信情報判定手段を有することを特徴としている。
【発明の効果】
【０００８】
本発明に係る遠隔監視システムは、監視設備を監視する遠隔監視装置の通信情報判定手段における判定により、無線通信装置を介して行われる無線通信が不可能となる前に、無線通信状況が劣化していることを把握できる。これにより本発明は、監視設備に対する遠隔監視が不能となる状態を短くして通信状況の劣化に適切に対応することができ、従来に比べて安定性の高い遠隔監視システムを実現させることができる。
【図面の簡単な説明】
【０００９】
【図１】本発明に係る遠隔監視システムの一実施形態を示すブロック図である。
【図２】本実施形態に備えられる遠隔監視装置における処理手順を示すフローチャートである。
【図３】本実施形態に備えられる監視センタにおける処理手順を示すフローチャートである。
【発明を実施するための形態】
【００１０】
以下、本発明に係る遠隔監視システムの実施の形態を図面に基づいて説明する。
【００１１】
図１に示すように、本実施形態に係る遠隔監視システムは、建物に設置された監視設備１ａ，１ｂをそれぞれ監視する遠隔監視装置２ａ，２ｂと、これらの遠隔監視装置２ａ，２ｂと無線通信装置３ａ，３ｂを含む無線通信回線を介して遠隔的に接続され、遠隔監視装置２ａ，２ｂで監視された監視設備１ａ，１ｂに関するデータを受信するデータ受信装置７を有する監視センタ６とを備えている。
【００１２】
すなわち、本実施形態に備えられる遠隔監視装置２ａは、監視設備１ａの監視を行い、監視設備１ａに異常が発生した場合は、無線通信装置３ａから無線通信装置基地局４ａ、もしくは無線通信基地局４ｂ、もしくは無線通信基地局４ｃから、公衆回線網５経由で監視センタ６に設けられているデータ受信装置７に対して通報を行う。同様に、遠隔監視装置２ｂは、監視設備１ｂの監視を行い、監視設備１ｂに異常が発生した場合は、無線通信装置３ｂから無線通信装置基地局４ａ、もしくは無線通信基地局４ｂ、もしくは無線通信基地局４ｃから、公衆回線網５経由で監視センタ６に設けられているデータ受信装置７に対して通報を行うようになっている。
【００１３】
遠隔監視装置２ａ，２ｂのそれぞれは、無線通信装置３ａ，３ｂを介して行われる無線通信状況の劣化判定に用いられる通信情報を読み出し、読み出した通信情報の機能が初期に比べて低下しているかどうか判定し、低下していると判定したときに通信情報を無線異常データとして記憶する処理を行う通信情報判定手段１２ａ，１２ｂを有している。無線通信状況の劣化判定に用いられる通信情報は、例えば無線通信装置３ａ，３ｂの基地局ＩＤ、通信可能な基地局数、電界強度、エラーレート情報のうちの少なくとも１つから成っている。また例えば、通信情報判定手段１２ａ，１２ｂのそれぞれは、通信情報が所定の設置基準よりも低下しているかどうかを判定するものから成り、所定の設置基準よりも低下していると判定したときに、該当する通信情報を無線異常データとして記憶する処理を行う。
【００１４】
同図１に示すように、監視センタ６は、前述したデータ受信装置７の他に、一定周期ごとに遠隔監視装置２ａ，２ｂの通信情報判定手段１２ａ，１２ｂに記憶された無線異常データを収集するデータ収集装置８と、このデータ収集装置８で収集された無線異常データを記憶する無線異常データデータベース９と、この無線異常データデータベース９に記憶された無線異常データに基づいて、無線通信状況の劣化を生じている現場を判定する異常現場判定装置１０とを有している。
【００１５】
通信情報判定手段１２ａ，１２ｂの判定に用いられる所定の設置基準は、例えば通信可能な基地局数２以上、電界強度３０以上、エラーレート２０％以下とする。なお、この所定の設置基準は、通信状態に充分な尤度をもった値とされる。今、仮に無線通信装置３ａをこの基準を満たしている状態で設置した後、遠隔監視装置２ａの通信情報判定手段１２ａは、無線通信装置３ａから基地局情報及び電界強度情報を読み出し、これらを所定の設置基準と比較し、基地局数が減ったり、電界強度が弱くなったり、エラーレートが高くなったと判定されたときには、該当する通信情報を無線異常データとして記憶する処理を行う。
【００１６】
監視センタ６のデータ収集装置８は例えば、公衆回線網５、無線通信装置基地局４ａ、無線通信装置３ａ経由で、遠隔監視装置２ａの通信情報判定手段１２ａに記憶されている無線異常データを読み出し、このようにして読み出された無線異常データは、無線異常データデータベース９に記憶される。異常現場判定装置１０は、無線異常データデータベース９に記憶されている無線異常データに基づいて、電界強度が弱くなったり、エラーレートが高くなったりしている異常現場、すなわち無線通信状況の劣化を生じている現場を特定する。
【００１７】
ここで基地局数が減ったり、電界強度が弱くなったり、エラーレートが高くなったときには、無線通信装置３ａと、無線通信装置基地局４ａもしくは無線通信装置基地局４ｂもしくは無線通信装置基地局４ｃとの間に、高階床の建物が建設されたなど、電波が遮られる状況が発生したためと推測され、営業所１１に対して無線通信装置３ａの設置位置の変更等が指示される。
【００１８】
図２は、本実施形態に備えられる遠隔監視装置、例えば遠隔監視装置２ａにおける処理手順を示すフローチャートである。なお、説明を省略するが、遠隔監視装置２ｂにおいても同様の処理が行われる。
【００１９】
同図２の手順Ｓ１において、無線通信装置３ａが通信可能な無線通信装置基地局との通信情報、すなわち無線通信状況の劣化判定に用いられる通信情報である、基地局数、電界強度、エラーレート情報の予め定めた読み出し周期に至ったかどうかを確認する。予め定めた読み出し周期に至っていない場合（手順Ｓ１でＮ）は、繰り返し手順Ｓ１を実施する。
【００２０】
予め定めた読み出し周期に至った場合（手順Ｓ１でＹ）は、手順Ｓ２にて、前述の通信情報の読み出しを実施し、手順Ｓ３にて通信情報判定手段１２ａは、基地局数、電界強度、エラーレートを、判定値である所定の設置基準と比較する。すなわち、通信情報が初期よりも低下しているかどうかを判定する。判定値以下の場合、すなわち基地局数が減ったり、電界強度が弱くなったり、エラーレートが高くなったと判定された場合（手順Ｓ３でＹ）には、通信情報判定手段１２ａは、手順Ｓ４にて、無線異常データを「異常」と記憶する。また、判定値を超えている場合、すなわち基地局数が減ることがなく、電界強度が弱くなることがなく、エラーレートが高くなっていないと判定された場合（手順Ｓ３でＮ）には、手順Ｓ５にて、無線異常データは「正常」と記憶する。以上で処理を終了する。
【００２１】
図３は、例えば遠隔監視装置２ａに対する監視センタ６における処理手順を示すフローチャートである。なお、説明を省略するが、遠隔監視装置２ｂに対しても同様の処理が監視センタ６において行われる。
【００２２】
手順Ｓ１１において、予め定めた無線異常データの読み出し周期に至ったかどうかを確認する。予め定めた読み出し周期に至っていない場合（手順Ｓ１１でＮ）には、繰り返し手順Ｓ１１を実施する。
【００２３】
予め定めた読み出し周期に至った場合（手順Ｓ１１でＹ）には、手順Ｓ１２にて、データ収集装置８にて、例えば公衆回線網５、無線通信装置基地局４ａ、無線通信装置３ａ経由で遠隔監視装置２ａの通信情報判定手段１２ａに記憶されている無線異常データの読み出しを実施する。
【００２４】
無線異常データの読み出しが正常終了したかを手順Ｓ１３にて確認し、読み出しが正常に終了しなかった場合（手順Ｓ１３でＮ）には、手順Ｓ１７にて予め定めた規定回数だけ読み出しが実施されたかどうかを確認する。予め定めた規定回数だけ読み出しが実施されていなかった場合（手順Ｓ１７でＮ）には、手順Ｓ１２に戻る。手順Ｓ１７にて予め定めた規定回数だけ読み出しが実施されていた場合（手順Ｓ１７でＹ）には、通信が不可能であると判定して、手順Ｓ１８にて営業所１１に遠隔監視装置２ａ等の即時点検指示を行い、処理を終了する。
【００２５】
手順Ｓ１３にて読み出しが正常に終了した場合（手順Ｓ１３でＹ）には、手順Ｓ１４にて無線異常データを無線異常データデータベース９に記憶する。
【００２６】
手順Ｓ１５にて、異常現場判定装置１０にて、無線異常データデータベース９のデータを読み出し、無線異常データが「異常」か「正常」かを確認する。無線異常データが「異常」の場合（手順Ｓ１５でＹ）には、無線通信状況が劣化している現場が特定され、手順Ｓ１６において営業所１１へ、例えば次回作業時に、特定された異常現場における遠隔監視装置２ａ等の点検を行うように指示することが行われる。無線異常データが「正常」の場合（手順Ｓ１５でＮ）には、終了となる。
【００２７】
以上のように本実施形態は、監視センタ６から無線異常データの読み出しを実施したとき、既に無線通信状況が悪く、所定回数だけ読み出しを試みても読み出し不可の場合には、即時に遠隔監視装置２ａ，２ｂ、及び無線通信装置３ａ，３ｂが設置されている現場、すなわち無線通信状況の劣化を生じている現場への出動の指示が行われる。また、無線異常データの読み出しが実施でき、読み出したデータが「異常」のときには、徐々に無線通信状況が悪化していると認識され、このようなときには例えば即時ではなく、建物に備えられている昇降機等の次回の点検作業時に現場の確認作業を行うように指示が行われる。
【００２８】
すなわち本実施形態は、監視設備１ａ，１ｂを監視する遠隔監視装置２ａ，２ｂの通信情報判定手段１２ａ，１２ｂにおける判定により、無線通信装置３ａ，３ｂを介して行われる無線通信が不可能となる前に、無線通信状況が劣化してきていることを把握できる。これにより本実施形態は、監視設備１ａ，１ｂに対する遠隔監視が不能となる状態を短くして無線通信状況の劣化に適切に対応することができ、安定性の高い遠隔監視システムを実現させることができる。
【００２９】
なお上記では、説明を簡単にするために、２つの監視設備１ａ，１ｂのそれぞれを監視する遠隔監視装置２ａ，２ｂを備えた構成を示してあるが、本発明は、このように２つの監視設備１ａ，１ｂを監視する２つの遠隔監視装置２ａ，２ｂのみを備えるものには限定されない。本発明は、３つ以上の監視設備をそれぞれ監視する３つ以上の遠隔監視装置を備え、それらの遠隔監視装置のそれぞれに、前述した通信情報判定手段１２ａ，１２ｂと同等の通信情報判定手段を備える構成としてもよい。
【符号の説明】
【００３０】
１ａ  監視設備
１ｂ  監視設備
２ａ  遠隔監視装置
２ｂ  遠隔監視装置
３ａ  無線通信装置
３ｂ  無線通信装置
４ａ  無線通信装置基地局
４ｂ  無線通信装置基地局
４ｃ  無線通信装置基地局
５    公衆回線網
６    監視センタ
７    データ受信装置
８    データ収集装置
９    無線異常データデータベース
１０    異常現場判定装置
１１    営業所
１２ａ  通信情報判定手段
【図１】
2014216916.tif 000003
【図２】
2014216916.tif 000004
【図３】
2014216916.tif 000005